(57)【特許請求の範囲】
【請求項１】
金属製のパイプ部材をセットする治具と、所定形状の溝を付形するに相応した輪郭形状を有する突条歯を円周面に設けた複数の駆動ローラと、各駆動ローラを直列的に並べてローラ軸で軸承保持するローラホルダーと、ローラホルダーを治具にセットした金属製のパイプに向けて移動させる動力手段と、金属製のパイプ部材に対して摺接する駆動ローラを回転させる駆動手段とを備え、パイプ部材の軸線と交差する方向に所定形状の溝を付形するための加工装置において、
最終溝よりも浅くて狭幅のＶ字溝を付形する突条歯を円周面に設けた先頭ローラと、先頭ローラによって付形された溝の溝口側を深く付形する突条歯を円周面に設けた第一の中間ローラと、第一の中間ローラによって付形された溝口側の広い溝の溝奥側を扁平面に付形する突条歯を円周面に設けた第二の中間ローラと、第二の中間ローラによって付形された溝を溝の深さ，扁平面の幅及び傾斜面の長さを最終溝の溝形状に近づくまで付形する突条歯を円周面に設けた第三の中間ローラを複数の中間ローラとして含み、第三の中間ローラによって付形された形状の溝から最終形状の溝を付形するに相応した輪郭形状の突条歯を設けた最後尾ローラを備え、先頭ローラ，複数の中間ローラ，最後尾ローラを順次直列的に並べてローラホルダーで軸承支持した駆動ローラのローラ列を備え付けたことを特徴とするパイプ部材に対する溝の加工装置。
【請求項２】
先頭ローラによって付形されたＶ字溝の溝口側を深く付形する突条歯を円周面に設けた第一の中間ローラと、第一の中間ローラによって付形された溝口側の広いＶ字溝の溝奥側を扁平面とすると共に、溝口側の広いＶ字溝の片斜面を垂直面とし、且つ、他斜面を溝奥より緩やかな上り勾配の傾斜面として付形する突条歯を円周面に設けた第二の中間ローラと、第二の中間ローラによって付形された溝を溝の深さ，扁平面の幅及び傾斜面の長さを最終溝の略レの字形状に近づくまで付形する突条歯を円周面に備えた第三の中間ローラを複数の中間ローラとして含み、第三の中間ローラによって付形された形状の溝から略レの字状の最終溝を付形するに相応した輪郭形状の突条歯を設けた最後尾ローラを備えたことを特徴とする請求項１に記載のパイプ部材に対する溝の加工装置。
【請求項３】
先頭ローラによって付形されたＶ字溝の溝口側を深く付形する突条歯を円周面に設けた第一の中間ローラと、第一の中間ローラによって付形された溝口側の広いＶ字溝の溝奥側を扁平面に付形する突条歯を円周面に設けた第二の中間ローラと、第二の中間ローラによって付形された溝を溝の深さ，扁平面の幅及び傾斜面の長さを最終溝の略コの字形状に近づくまで付形する突条歯を円周面に設けた第三の中間ローラを複数の中間ローラとして含み、第三の中間ローラによって付形された形状の溝から略コの字状の最終溝を付形するに相応した輪郭形状の突条歯を設けた最後尾ローラを備えたことを特徴とする請求項１に記載のパイプ部材に対する溝の加工装置。
【請求項４】
請求項２に記載のローラ列と、請求項３に記載のローラ列とを相平行に整列させて配置し、形状の異なる複数の最終溝を各ローラ列で同時に付形可能な駆動ローラのローラ列を備え付けたことを特徴とするパイプ部材に対する溝の加工装置。
【発明の詳細な説明】
【技術分野】
【０００１】
本発明は、金属製のパイプ部材を治具にセットし、治具にセットしたパイプ部材の所定部位をパイプ部材の軸線と交差する方向から押圧陥入させて所定形状の溝を付形する、パイプ部材に対する溝の加工装置に関するものである。
【背景技術】
【０００２】
自動車用のヘッドレストステーを金属製のパイプ部材から形成する場合を例示すると、その製品は、図１１で示すように金属製のパイプ部材をコの字状に軸曲げすると共に、ラチエット爪が離脱自在に係止されることによりヘッドレストステーからヘッドレストを任意の高さに維持する溝を設けて構成されている。
【０００３】
その溝としては、ヘッドレスト高さ調整用の略レの字状を呈する１〜６個程度のフリー溝ｇ１と、ヘッドレスト抜外れ防止用の略コの字状を呈する１または２個程度のストッパ溝ｇ２とが、コの字状に軸線曲げしたパイプ部材の片縦軸部の所定部位を当該縦軸部の軸線と交差する方向へ窪ませることにより付形されている。
【０００４】
これらの溝をパイプ部材に付形するに、切削刃によるブローチまたはスライス加工を適用すると、所定形状の溝を容易に形成できるが、切粉が発生すると共に、パイプ部材を傷付け易くなるばかりでなく、パイプ部材の削り取りはパイプ部材の剛性の低下を招いてしまう。
【０００５】
パイプ部材に対する溝の付形には、先端側を溝形状に合わせて曲面形に形成したポンチ（特許文献１）、先端側を溝形状に合わせて楔形状に形成した成形刃（特許文献２）をパイプ部材の軸線と直交する方向からパイプ部材に下降動させて溝をプレス成形し、また、先端側を溝形状に合わせて斜めに面取りしたパンチ（特許文献３）をパイプ部材の軸線に対して斜め方向からパイプ部材に下降動させて溝をプレス成形することが提案されている。
【０００６】
そのプレス加工では、パンチによる圧力をパイプ部材の軸線に対して交差する方向から加えてパイプ部材の所定部位を径内方向へ押し込む押圧力により溝を成形するため、パンチによる圧力が溝の縁部にまで作用し、パイプ部材の外周の偏平度（真円度）を大きく変えてしまい、大きなダレが溝の縁部に生じてしまう。
【０００７】
そのプレス成形のみによる以外、パンチを回動させながら刃先をパイプ部材の軸線と直交する方向から圧接させて溝の予備成形を行った後、プレスポンチによるシェービング加工によりパイプ部材の所定部位を削り取ることが提案されている（特許文献４）。
【０００８】
その溝の加工装置では、パンチを回動させながらパイプ部材の軸線に対して直交方向へ移動させて刃先をパイプ部材に圧接させるものであるため、所定形状の溝を付形するに必要なパンチの回動と移動とを適度に合わせるのが難しい。また、異なる工具を個別に作動させて溝を形成するものであるから、プレスポンチを予備成形溝の形状に合わせて正確に作動することが難しく、パイプ部材の所定部位の削取りによる切粉が発生し、パイプ部材の剛性の低下も免れ得ない。
【０００９】
上述したプレス成形と併用し、溝形状に相応する切欠を軸線上に設けた芯金をパイプ部材の径内に挿置することも提案されている（特許文献５）。
【００１０】
その芯金を併用する場合、芯金の出し入れに著しく手間が掛かるため、製品の生産性に劣ると共に、パイプ部材の上述した外周の偏平度（真円度）の変化乃至は成形断面のダレが生じて満足し得る溝を付形できない。
【００１１】
その他に、エピサイクロイド機構と球継手による揺動運動をスピンドルに起させ、スピンドルの先端に取り付けた所定の溝形状に相応する先端形状を有する成形具により、溝をスエージング加工でパイプ部材に付形することも提案されている（特許文献６）。
【００１２】
そのスエージング加工では、プレス成形と比べれば、成形具がパイプ部材の所定部位を所定の溝形状にまで徐々に陥入させるよう作用するため、溝の縁回りに生ずるダレの発生を抑えられる。然し、エピサイクロイド機構が機構的に複雑で高価なものであるところから、製品コストが嵩む。
【特許文献１】特開２００１−２３９３４０号
【特許文献２】特開２００１−１８０１４号
【特許文献３】特開２００２−２０４７３３号
【特許文献４】特開２００２−２１０５１９号
【特許文献５】特開２００２−１２００２２号
【特許文献６】特開２０００−５１９５７号
【発明の開示】
【発明が解決しようとする課題】
【００１３】
本発明の解決しようとする課題は、切粉の発生する切削によらず、また、芯金をパイプ部材の径内に挿置することによらず、パイプ部材の外周の偏平度（真円度）を保って溝の縁部におけるダレの発生を抑え、所定形状の溝をパイプ部材の所定部位に簡単な機構で正確に付形可能な溝の加工装置を提供することにある。
【課題を解決するための手段】
【００１４】
本願の請求項１に記載の発明は、金属製のパイプ部材をセットする治具と、溝を付形するに相応した輪郭形状を有する突条歯を円周面に設けた複数の駆動ローラと、各駆動ローラを直列的に並べてローラ軸で軸承保持するローラホルダーと、ローラホルダーを治具にセットした金属製のパイプに向けて移動させる動力手段と、金属製のパイプ部材に対して摺接する駆動ローラを回転させる駆動手段とを備え、パイプ部材の軸線と交差する方向に所定形状の溝を付形するための加工装置において、
最終溝よりも浅くて狭幅のＶ字溝を付形する突条歯を円周面に設けた先頭ローラと、先頭ローラによって付形された溝の溝口側を深く付形する突条歯を円周面に設けた第一の中間ローラと、第一の中間ローラによって付形された溝口側の広い溝の溝奥側を扁平面に付形する突条歯を円周面に設けた第二の中間ローラと、第二の中間ローラによって付形された溝を溝の深さ，扁平面の幅及び傾斜面の長さを最終溝の溝形状に近づくまで付形する突条歯を円周面に設けた第三の中間ローラを複数の中間ローラとして含み、第三の中間ローラによって付形された形状の溝から最終形状の溝を付形するに相応した輪郭形状の突条歯を設けた最後尾ローラを備え、先頭ローラ，複数の中間ローラ，最後尾ローラを順次直列的に並べてローラホルダーで軸承支持した駆動ローラのローラ列を備え付けたことを特徴とする。
【００１５】
本願の請求項２に係る発明は、先頭ローラによって付形されたＶ字溝の溝口側を深く付形する突条歯を円周面に設けた第一の中間ローラと、第一の中間ローラによって付形された溝口側の広いＶ字溝の溝奥側を扁平面とすると共に、溝口側の広いＶ字溝の片斜面を垂直面とし、且つ、他斜面を溝奥より緩やかな上り勾配の傾斜面として付形する突条歯を円周面に設けた第二の中間ローラと、第二の中間ローラによって付形された溝を溝の深さ，扁平面の幅及び傾斜面の長さを最終溝の略レの字形状に近づくまで付形する突条歯を円周面に備えた第三の中間ローラを複数の中間ローラとして含み、第三の中間ローラによって付形された形状の溝から略レの字状の最終溝を付形するに相応した輪郭形状の突条歯を設けた最後尾ローラを備えたことを特徴とする。
【００１６】
本願の請求項３に係る発明は、先頭ローラによって付形されたＶ字溝の溝口側を深く付形する突条歯を円周面に設けた第一の中間ローラと、第一の中間ローラによって付形された溝口側の広いＶ字溝の溝奥側を扁平面に付形する突条歯を円周面に設けた第二の中間ローラと、第二の中間ローラによって付形された溝を溝の深さ，扁平面の幅及び傾斜面の長さを最終溝の略コの字形状に近づくまで付形する突条歯を円周面に設けた第三の中間ローラを複数の中間ローラとして含み、第三の中間ローラによって付形された形状の溝から略コの字状の最終溝を付形するに相応した輪郭形状の突条歯を設けた最後尾ローラを備えたことを特徴とする。
【００１７】
本願の請求項４に係る発明は、請求項２に記載のローラ列と、請求項３に記載のローラ列とを相平行に整列させて配置し、形状の異なる複数の最終溝を各ローラ列で同時に付形可能な駆動ローラのローラ列を備え付けたことを特徴とする。
【発明の効果】
【００１８】
本願の請求項１に係る発明に依れば、細いＶ字溝を先頭ローラで成形し、そのＶ字溝を複数の中間ローラで最終溝の形状に徐々に近付け、最終溝を最後尾ローラで成形するよう順次付形するため、駆動ローラの突条歯による圧力を溝の付形部分に確実に集中させ、溝を最終溝の溝形状にまで徐々に進行させて付形することができ、パイプ部材の外周の変形を抑えられると共に、溝の縁部に生ずるダレの発生を抑えて最終溝を正確に付形できる。
【００１９】
本願の請求項２に係る発明に依れば、細いＶ字溝を先頭ローラで成形し、そのＶ字溝を複数の中間ローラで略レの字形に徐々に近付け、最終溝を最後尾ローラで略レの字形に成形するよう順次付形するため、駆動ローラの突条歯による圧力を溝の付形部分に確実に集中させ、溝を最終溝の略レの字形にまで徐々に進行させて付形することができ、パイプ部材の外周の変形を抑えられると共に、溝の縁部に生ずるダレの発生を抑えて略レの字状の最終溝を正確に付形できる。
【００２０】
本願の請求項３に係る発明に依れば、細いＶ字溝を先頭ローラで成形し、そのＶ字溝を複数の中間ローラで略コの字形に徐々に近付け、最終溝を最後尾ローラで略コの字形に成形するよう順次付形するため、駆動ローラの突条歯による圧力を溝の付形部分に確実に集中させ、溝を最終溝の略コの字形にまで徐々に進行させて付形することができ、パイプ部材の外周の変形を抑えられると共に、溝の縁部に生ずるダレの発生を抑えてコの字状の最終溝を正確に付形できる。
【００２１】
本願の請求項４に係る発明に依れば、請求項２に記載のローラ列と、請求項３に記載のローラ列とを相平行に整列させて配置し、形状の異なる複数の最終溝を各ローラ列で同時に付形可能な駆動ローラのローラ列を備え付けたので、ヘッドレストステーにおけるように略レの字溝並びに略コの字溝が共に必要とされるものに対しては、溝加工を一工程で行えて製品の生産性を効率よく高めることができる。
【発明を実施するための最良の形態】
【００２２】
図示の溝加工装置は、図１で示すように金属製のパイプ部材Ｐをセットする治具１と、後述するように溝を付形するに相応した輪郭形状を有する突条歯を円周面に設けた複数の駆動ローラ１０〜１４と、各駆動ローラ１０〜１４を直列的に並べてローラ軸で軸承保持するローラホルダー２と、ローラホルダー２を治具１にセットした金属製のパイプＰに向けて移動させる動力手段３と、金属製のパイプ部材Ｐに対して摺接する駆動ローラ１０〜１４を回転させる駆動手段４とを備えて構成されている。
【００２３】
駆動ローラ１０〜１４は、図２で示す（先頭ローラ１０のみ図示）ようにローラ軸を軸承保持する断面略逆凹状のローラホルダー２の側部間に掛渡し装着されている。ローラ軸の一端部はローラホルダー２の片側側部を貫通し、その先端部には駆動手段４のピニオン４ａが装着されている。各駆動ローラ１０〜１４は、突条歯が下部開放側から一部露出された状態でローラホルダー２の内部に収容されている。駆動ローラ１０〜１４としては、合金工具鋼製（ＪＩＳ規格：ＳＫＤ１１、ＨＲＣ５８±１．０）又は超硬合金製のローラを備え付けることができる。
【００２４】
ローラホルダー２には、動力手段３が後端側に連結されている。この動力手段３により、駆動ローラ１０〜１４の突条歯を治具１にセットされたパイプ部材Ｐの軸線に対して直交する方向より摺接させるよう、ローラホルダー２が水平に移動させられる。その動力手段３としては、サーボ駆動機構又は油圧サーボ駆動機構等を用いることができる。
【００２５】
セット治具１には、ローラホルダー２を移動自在に受け入れるゲート１ａが内部に貫通するよう設けられている。このゲート１ａは、ローラホルダー２の天部面がゲート１ａの上部面と摺接し、ピニオン４ａがゲート１ａの側面と摺接せず、また、ローラホルダー２の下部より露出した突条歯の一部もゲート１ａの底面と摺接しない大きさの略四辺形の空洞状に形成されている。また、パイプ部材Ｐを挿通する軸受け孔１ｂがゲート１ａと交差する方向に設けられている。軸受け孔１ｂは、溝が付形されるパイプ部材Ｐの所定部位をゲート１ａの空洞内に露出させる形状に形成されている。
【００２６】
駆動ローラ１０を回転させるための駆動手段４は、ローラ軸１ｃの先端部に装着されたピニオン４ａと、セット治具１のゲート１ａの片側部内面に沿って水平に延びる長尺なラック４ｂとからなり、ピニオン４ａの歯とラック４ｂの歯とを噛合可能に配置させて備え付けられている。駆動ローラ１０〜１４は、ローラホルダー２がセット治具１にセットされたパイプ部材Ｐに向かって動力手段３で移動させられた時に、ピニオン４ａがラック４ｂと噛合しつつラック４ｂに沿って回転することにより回動するよう組み付けられている。
【００２７】
この溝の加工装置では、図３で示すようにパイプ部材Ｐをセット治具１の軸受け孔１ｂに挿通させて位置決め保持した後、ローラホルダー２をパイプ部材Ｐの軸線に向けて動力手段３で直交方向より移動し、駆動ローラ１０〜１４をラック４ｂに沿ったピニオン４ａの回転により回動させることから、ローラホルダー２の下部より部分的に露出する駆動ローラ１０〜１４の突条歯でパイプ部材Ｐの軸線と交差する方向に所定形状の溝を付形するよう構成されている。
【００２８】
ローラホルダー２が治具１のゲート１ａを移動する際に、ローラホルダー２の天部面がゲート１ａの上部面に摺接するので、駆動ローラ１０〜１４をゲート１ａの内部で水平に移動ガイドできる。また、駆動ローラ１０〜１４の突条歯がパイプ部材Ｐの軸線と交差する方向へ食い込むに伴う逃げの発生を防げるため、所定の加圧力を保ってパイプ部材Ｐの軸線と交差する方向にパイプ部材Ｐの所定部位を押圧陥入できることから、溝形状を所望通りに付形できる。
【００２９】
複数の駆動ローラとしては略レの字状溝を付形するもので説明すると、図４で示すように円周面１０ｂの中央部より立ちあがったＶ字状の突条歯１０ａを備えた先頭ローラ１０と、円周面１１ｂの中央部より立ちあがったＶ字状の突状歯１１ａを備えた第一の中間ローラ１１と、略中央の有幅な起立面から片側方のテーパ状を呈する断面略台形のリング面となる突条歯１２ａ，１３ａを円周面１２ｂ，１３ｂに備えた第二及び第三の中間ローラ１２，１３と、略中央の有幅な起立面から片側方のテーパ状を呈する断面略台形のリング面となる突条歯１４ａを円周面１４ｂに備えた最後尾ローラ１４とが備えられている。
【００３０】
図４中、符号１０ｃ〜１４ｃは駆動ローラ１０〜１４のローラ軸を示す。各ローラ軸１０ｃ〜１４ｃには、ピニオン４ａがローラホルダー２の側部より外方へ突出した先端部に夫々装着されている。各ピニオン４ａは、長尺なラック４ｂと噛合するよう配置されている。また、ラック４ｂは図示していないセット治具のゲートにおける内側面に取り付けられている。
【００３１】
駆動ローラ１０〜１４は、ローラ列の移動方向Ｘに向かってＶ字状の突条歯１０ａを設けた先頭ローラ１０を先頭に配置し、中間ローラ１１〜１３として所定のレの字溝に徐々に近付く互いに異なった形状の突条歯１１ａ〜１３ａを備えたものを先頭ローラ１０の後方に配置し、最後尾のローラ１４として所定のレの字溝と略同じ形状の突条歯１４ａを備えたものが第三の中間ローラ１３の後方に配置することから直列的に並べて整列されている。
【００３２】
駆動ローラ１０〜１３としては、図５並びに図６で示すように円周面１０ｂ〜１３ｂがパイプ部材の軸線に対して直交する方向より摺接しない同じ直径φ１〜φ４を有するものが備え付けられている。これに対し、最後尾のローラ１４としては円周面１４ｂがパイプ部材の軸線に対して直交する方向より摺接可能な大きい直径φ５<φ１〜φ４を有するものが配列されている。
【００３３】
駆動ローラ１０，１１に設けられるＶ字状の突条歯１０ａ，１１ａを比較すると、先頭ローラ１０の突状歯１０ａは、第一の中間ローラ１１の突条歯１１ａの基部幅ｗ２よりも狭い基部幅ｗ１を有し、且つ、これら突状歯１０ａ，１１ａの立上り高さはｈ１＝ｈ２，突端の曲部面はｒ１＝ｒ２となっている。
【００３４】
駆動ローラ１２〜１４に設けられる略中央の有幅な起立面からテーパ状を呈するリング面となる断面略台形の突条歯１２ａ〜１４ａを比較すると、駆動ローラ１２〜１４の順に、起立面の平坦な突端幅がｗ３<ｗ４<ｗ５と徐々に広くなり、且つ、リング面の傾斜角がθ１>θ２>θ３と徐々に小さくなっている。
【００３５】
その駆動ローラ１２〜１４によっては、図７で示すように先頭ローラ１０で付形されたＶ字溝ｇ１０を第一の中間ローラ１１でＶ字溝ｇ１０の溝口側を広くした溝ｇ１１として付形し、次に、第二の中間ローラ１２で溝口側の広いＶ字溝ｇ１１の溝奥側を扁平面とする溝に付形し、且つ、Ｖ字溝ｇ１１の片斜面を垂直面とすると共に、Ｖ字溝の他斜面を溝奥より緩やかな上り勾配の傾斜面とする溝ｇ１２として付形する。
【００３６】
更に、第三の中間ローラ１３で溝奥側の深さ，扁平幅並びに傾斜面の長さを所定形状近くの溝ｇ１３にまで付形するように、段階的に溝形状を所定の溝形状に徐々に近付けてから、最終的に、所定形状近くの溝形状を最後尾のローラ１４で所定形状の溝ｇ１４にまで付形することができる。
【００３７】
駆動ローラ１０〜１４は、ローラホルダー１ｄの移動に伴って回動させられるものであるので、先頭ローラ１０から中間ローラ１１，１２，１３及び最後尾ローラ１４がパイプ部材Ｐの軸線と直交する方向から摺接すると共に、各突条歯１０ａ〜１４ａによる圧力を溝の付形部分に集中させてパイプ部材の外周の変形を抑えつつ、溝を所定形状へと進行させて形成するため、パイプ部材の外周の偏平度（真円度）を保ち、溝の縁部におけるダレのない所定形状の溝ｇ１４としてレの字溝を一層正確に形成することができる。
【００３８】
次に、略コの字状の溝を付形する場合で説明すると、図８並びに図９で示すような異なる形状の突条歯１０ａ’〜１４ａ’を備えた駆動ローラ１０’〜１４’がローラホルダーに整列配置される。駆動ローラ１０’〜１３’としては、円周面１０ｂ’〜１３ｂ’がパイプ部材の軸線に対して直交する方向から摺接しない同じ直径φ１’〜φ４’を有するものが備え付けられている。最後尾ローラ１４’としては、円周面１４ｂ’がパイプ部材の軸線と直交する方向から摺接する大きな直径φ５<φ１〜φ４を有するものが備え付けられている。
【００３９】
駆動ローラ１０’，１１’に設けられるＶ字状の突条歯１０ａ’，１１ａ’を比較すると、レの字溝を設ける場合と同様に、先頭ローラ１０’の突状歯１０ａ’の基部幅ｗ１’は第一の中間ローラ１１’の突条歯１１ａ’の基部幅ｗ２’よりも狭くなっており、且つ、これら突状歯１０ａ’，１１ａ’における立上り高さはｈ１’＝ｈ２’，突端の曲部面はｒ１’＝ｒ２’となっている。
【００４０】
駆動ローラ１２’〜１４’に設けられる略コ形の突条歯１２ａ’〜１４ａ’を比較すると、ローラ１２’〜１４’の順に、突端幅がｗ３’ <ｗ４’ <ｗ５’と徐々に広くなり、且つ、突端の平坦幅がｒ３’ <ｒ４‘<ｒ５‘と徐々に広くなる突条歯１２ａ’〜１４ａ’が設けられている。
【００４１】
その駆動ローラ１２’〜１４’によっては、図１０で示すように先頭ローラ１０’で付形したＶ字溝ｇ１０’を第一の中間ローラ１１’の突条歯１１ａ’でＶ字溝ｇ１０’の溝口側を広く付形した溝ｇ１１’にし、次に、第二及び第三の中間ローラ１２’，１３’の突条歯１２ａ’，１３ａ’で溝奥側の深さ，扁平幅を所定の溝形状に徐々に近付けてから、最終的に、最後尾ローラ１４’の突条歯１４ａ’で所定形状の溝を付形する。
【００４２】
その駆動ローラ１０’〜１４’でもローラホルダーの移動に伴って回動するので、駆動ローラ１０’〜１４’がパイプ部材Ｐの軸線に対して直交する方向から摺接すると共に、駆動ローラ１０’〜１４’の突条歯１０ａ’〜１４ａ’による圧力を溝の付形部分に集中させてパイプ部材の外周の変形を抑えつつ、溝を所定形状へと進行させて付形するため、パイプ部材の外周の偏平度（真円度）を保ち、溝の縁部におけるダレのない所定形状の溝ｇ１４’としてコの字溝を一層正確に付形することができる。
【００４３】
上述した略レの字状溝を付形する駆動ローラのローラ列と、略コの字状溝を付形する駆動ローラのローラ列とを相平行に整列させて配置し、形状の異なる複数の最終溝を各ローラ列で同時に付形可能に構成するようにできる。これにより、ヘッドレストステーにおけるように略レの字溝並びに略コの字溝が共に必要とされるものの溝加工を一工程で行えて製品の生産性を効率よく高めることができる。
【００４４】
上述した実施の形態においては、複数のローラを五個直列的に配置した場合について説明したが、これに限定されることなく、ローラの個数は溝の形状や要求される形状精度、パイプ部材の材質等から適宜に選択，設計することができる。
【００４５】
上述した実施の形態においては、主に、ヘッドレストステーを製造する場合に基づいて所定形状の溝をパイプ部材の軸線上に設けることを説明したが、ハンドブレーキやその他の製品をパイプ部材から製造するにあたり、所定形状の溝をパイプ部材の軸線上に設ける場合にも適用することができる。
【図面の簡単な説明】
【００４６】
【図１】本発明に係る金属製のパイプ部材に対する溝の加工装置を示す側面図である。
【図２】図１の溝加工装置をＡ−Ａ線で示す断面図である。
【図３】図１の溝加工装置を作動状態で示す説明図である。
【図４】本発明に係る金属製のパイプ部材に対する溝の加工装置に備え付けられる複数の駆動ローラを示した説明図である。
【図５】図４で示す複数の駆動ローラ中の先頭ローラと第一の中間ローラとをそれらのＶ字状突条歯で比較した説明図である。
【図６】図４で示す複数の駆動ローラ中の第二及び第三の中間ローラと最後尾ローラとをそれらの円錐台形の突条歯で比較する説明図である。
【図７】図４で示す複数の駆動ローラにより段階的に付形される略レの字状溝の形状変化を示す説明図である。
【図８】図７で示す溝と異なる形状の略コの字状溝を付形する複数の駆動ローラ中で、Ｖ字状の突条歯を備えた先頭ローラと第一の中間ローラとを比較する説明図である。
【図９】図８で示す駆動ローラに引き続く第二，第三の中間ローラ及び最後尾ローラをそれらの突条歯で比較する説明図である。
【図１０】図８並びに図９の駆動ローラにより段階的に付形されるコの字状溝の形状変化を示す説明図である。
【図１１】一般例に係るヘッドレストステーを示す斜視図である。
【符号の説明】
【００４７】
Ｐ                金属製のパイプ部材
１                セット治具
２                ローラホルダー
３                ローラホルダーの動力手段
４                ローラ駆動手段
１０〜１４        複数の駆動ローラ
１０ａ〜１４ａ    駆動ローラの突状歯
１０ｂ〜１４ｂ    駆動ローラの円周面
１０ｃ〜１４ｃ    ローラ支軸
【図１】
0004465483.tif 000002
【図２】
0004465483.tif 000003
【図３】
0004465483.tif 000004
【図４】
0004465483.tif 000005
【図５】
0004465483.tif 000006
【図６】
0004465483.tif 000007
【図７】
0004465483.tif 000008
【図８】
0004465483.tif 000009
【図９】
0004465483.tif 000010
【図１０】
0004465483.tif 000011
【図１１】
0004465483.tif 000012